(57)【要約】光ディスクプレーヤー（１０）を再生する方法であって：再生状態を検出し（Ｓ２１０）、検出された再生状態が非正規状態であればまだダウンロードされていない情報に対応するＵＲＬを検索し（Ｓ２３０）、プレーヤーが非正規状態にある間にみつかったＵＲＬに従って通常再生において必要とされる情報をダウンロードする（Ｓ２５０）、ことを含む。
2007511029.tif 000002
【特許請求の範囲】
【請求項１】
光ディスクプレーヤーであって：
プレーヤーが非正規再生状態にあるかどうかを検出し、非正規再生状態が検出されたときに検索コマンドを送るための検出モジュールと、
前記検索コマンドに従って、ダウンロードされていない情報に対応するＵＲＬを検索するための検索モジュールと、
ダウンロードされていない情報に対応する前記検索されたＵＲＬを利用して、当該プレーヤーが非正規状態にある間に通常状態において必要とされる情報をダウンロードするためのネットワーク管理装置、
とを有することを特徴とするプレーヤー。
【請求項２】
通常状態のもとでそのまま使うために前もってダウンロードされた情報を保存するための記憶、
をさらに有することを特徴とする、請求項１記載の光ディスクプレーヤー。
【請求項３】
前記非正規状態が一時停止状態を含むことを特徴とする、請求項１記載の光ディスクプレーヤー。
【請求項４】
前記非正規状態が著作権情報状態を含むことを特徴とする、請求項１記載の光ディスクプレーヤー。
【請求項５】
前記非正規状態が監督注釈状態を含むことを特徴とする、請求項１記載の光ディスクプレーヤー。
【請求項６】
光ディスクの再生方法であって：
（ａ）再生状態を検出し；
（ｂ）検出された再生状態が非正規状態であればダウンロードされていない情報に対応するＵＲＬを検索し、
（ｃ）検索されたＵＲＬに従って、プレーヤーが非正規状態にある間に通常再生状態で必要とされる情報をダウンロードする、
ことを有することを特徴とする方法。
【請求項７】
請求項６記載の光ディスクの再生方法であって、前記ステップ（ｂ）が、ダウンロードされていない情報のＵＲＬがみつからなかった場合、再生状態が通常に戻るまで待機することを有することを特徴とする方法。
【請求項８】
請求項６記載の光ディスクの再生方法であって、ダウンロードされた情報をプレーヤーの記憶に保存することをさらに有することを特徴とする方法。
【請求項９】
請求項６記載の光ディスクの再生方法であって、前記非正規状態が一時停止状態を含むことを特徴とする方法。
【請求項１０】
請求項６記載の光ディスクの再生方法であって、前記非正規状態が著作権情報状態を含むことを特徴とする方法。
【発明の詳細な説明】
【技術分野】
【０００１】
本発明はプレーヤーおよびその再生方法に、特に光ディスクプレーヤーおよびその再生方法に関する。
【背景技術】
【０００２】
光ディスクおよび光ディスク再生技術の急速な進展に伴って、ますます多くの光ディスク情報が分離されてネットワークサーバーに保存されている。当該光ディスクが生産されているときには考慮されなかったその他の情報がネットワークサーバーに瞬間的に追加できるようにしつつ、他方では光ディスクの容量負荷を軽減し、それによりユーザーにより多くの娯楽情報およびよりよい再生効果を提供するためである。
【０００３】
上記したような光ディスクには、ブルーレイディスクおよびｅＤＶＤ（enhanced  DVD［高機能ＤＶＤ］）といったさまざまな種類がある。さらに、上記した分離された情報はしばしばＪａｖａ（登録商標）アプリケーション情報、オーディオ、字幕、アニメーションおよび広告その他である。
【０００４】
上述したように、光ディスクの情報の一部がネットワークサーバーに保存されていれば、対応するダウンロード動作が利用可能でなければならない。ネットワークサーバー上に保存された情報を光ディスクプレーヤーにダウンロードして、当該光ディスクを前記ネットワークサーバー上に保存された対応する情報と協調して再生できるようにするためである。
【０００５】
従来技術のプレーヤーは、情報をダウンロードしているとき、ダウンロードしながら再生する。しかし、前記情報がネットワークサーバーからダウンロードされ終わったのち、以前にダウンロードされた情報を読み出すプロセスは、光ディスクから直接情報を読み出すプロセスよりもやや遅いようである。よって、ダウンロードされた情報の再生と光ディスクに保存されている情報の再生との同期を取ることが難しくなっている。さらに、ネットワーク帯域幅が十分でなかったり、あるいはネットワーク速度が遅すぎたりする場合には、情報ダウンロードのプロセスはずっと遅くなり、光ディスクがなめらかに再生されないという結果につながりうる。再生の中断が起こる場合さえあり、ユーザーの視聴意欲を著しく損なうことになる。
【発明の開示】
【発明が解決しようとする課題】
【０００６】
したがって、上記の欠点を回避する光ディスクプレーヤーおよびその再生方法が必要とされている。
【課題を解決するための手段】
【０００７】
本発明は、通常の再生状態において要求される情報をプレーヤーが非正規再生状態にある間に前もってダウンロードするプレーヤーを提供するものである。ここで、非正規再生状態とは、一時停止状態、著作権情報状態、監督注釈状態などを指す。
【０００８】
本発明はまた、通常の再生状態において要求される情報をプレーヤーが非正規再生状態にある間に前もってダウンロードする方法をも提供する。
【０００９】
本発明によって解決されるべき技術的問題は、以下の技術的解決によって克服される：本発明によって記載されるプレーヤーは検出モジュール、検索モジュールおよびネットワーク管理装置を有している。検出モジュールは、プレーヤーが非正規再生状態にあるか否かを検出し、非正規再生状態が検出されたときに検索コマンドを送るのに使われる。検索モジュールは、ダウンロードされていない情報に対応するＵＲＬを検索コマンドを用いて検索するために使われる。ネットワーク管理装置は、プレーヤーが非正規再生状態にある間に、検索された、ダウンロードされていない前記情報に対応するＵＲＬに基づいて、通常再生状態において必要とされる情報をダウンロードするのに使われる。
【００１０】
本発明によって記載される光ディスク再生方法は、まず再生状態を検出し、検出された再生状態が非正規状態であればダウンロードされていない情報に対応するＵＲＬを検索し、それから通常再生状態において必要とされる情報をプレーヤーが非正規再生状態にある間にダウンロードする。
【００１１】
通常再生状態において必要とされる情報が、プレーヤーが一時停止状態、著作権情報状態または監督注釈状態といった非正規再生状態にある間に前もってダウンロードされることができるので、再生がなめらかでない、さらには再生が中断されるなどといった現象はダウンロードしながら再生するプロセスの間も回避できる。
【００１２】
本発明のその他の目的および効果ならびに本発明の十全なる理解は、以下の記述および請求項を付属の図面との関連で参照することにより明白かつ明らかとなるであろう。
【００１３】
本発明について、例として、付属の図面を参照しつつより詳細に説明する。
【００１４】
付属の図面において、同じ符号は同様または対応する特徴または機能を表す。
【発明を実施するための最良の形態】
【００１５】
光ディスクに保存されるコンテンツは、ユーザーが視聴したい本来のコンテンツ、ダウンロードする必要のある情報に対応するＵＲＬ（Uniform  Resource  Locator［一様リソース位置指定子］）リストおよびその他の付随的情報を含む。前記のその他の付随的情報というのは、著作権情報および監督注釈などを指す。
【００１６】
光ディスク再生プロセスは、通常再生状態（光ディスクの本来のコンテンツが普通に再生されている状態）と非正規再生状態とを含む。非正規状態は一時停止状態、著作権情報状態（著作権警告によって使用される若干のテキスト情報）および監督注釈（director  annotation）（監督注釈によって使用される若干の説明語句）などを含む。プレーヤーは通常の再生状態にある間、情報をダウンロードしながら再生できる。ダウンロードされる必要のある情報は、プレーヤーの記憶に一時的に保存されていればダウンロードすることなくそのまま使うことができる。
【００１７】
本発明によって提供される光ディスクプレーヤーは、通常の再生状態にある間に情報をダウンロードしながら再生することができ、通常再生状態においてダウンロードされる必要のある情報を通常再生状態のほか非正規再生情報にある間に前もってダウンロードすることができる。通常再生状態においてダウンロードされる必要のある情報は、プレーヤーが非正規再生状態にある間に前もってダウンロードされ、ダウンロードされた情報はプレーヤーが通常の再生状態にある間にダウンロードされることなく直接使用されるためにプレーヤー内に保存される。これにより再生がなめらかでなかったり、さらにはダウンロードしながら再生することに起因して再生が中断されたりする現象が避けられる。
【００１８】
図１は本発明のある実施形態に基づく光ディスクプレーヤー１０の構造的な概略図である。プレーヤー１０はネットワーク管理装置１１、検索モジュール１２、検出モジュール１３、記憶１４、読み出し装置１５およびプロセッサ１６を有している。ここで、プロセッサ１６はプレーヤー１０の他の構成要素の作動プロセスを制御するのに使われる。
【００１９】
検出モジュール１３はプレーヤー１０が現在通常の再生状態にあるか、あるいは光ディスク（図示せず）再生中の非正規再生状態にあるかを検出し、プレーヤー１０が非正規状態にあると検出された場合には検索モジュール１２に検索コマンドを送るのに使われる。検索モジュール１２は、前記検索コマンドに従って、前記光ディスクのＵＬＲリストにおいてダウンロードされていない情報に対応するＵＲＬがあるかどうかを検索するのに使われる。
【００２０】
ネットワーク管理装置１１は情報をダウンロードし、そのダウンロードされた情報を保存のために記憶１４に転送するために使われる。もちろん、非正規再生状態のもとでは、ネットワーク管理装置１１は、検索モジュール１２によって検索されたダウンロードされていない情報に対応するＵＲＬを受け取ったのち情報をダウンロードしてダウンロードされた情報を記憶１４に保存することができ、それにより通常再生が再開されたときに前記光ディスクが該光ディスクに保存されている情報と協調して再生されるようにする。ネットワーク管理装置１１は通常再生の間にも上記の情報をダウンロードすることができ、それによりプレーヤー１０はダウンロードしながら、ダウンロードされた情報と協調して前記光ディスクを再生できる。読み出し装置１５は、なめらかな再生を達成するため、光ディスクに保存された情報および記憶１４に保存された情報を読み出すのに使われる。
【００２１】
図２は、光ディスクプレーヤー１０が光ディスクを再生しているときのフローチャートである。
【００２２】
プレーヤー１０は、光ディスクを通常に再生するプロセス（ステップＳ２００）の間、まず現在の再生状態が通常状態か非正規状態かを検出する（ステップＳ２１０）。
【００２３】
第二に、検出された結果に従って現在光ディスクを再生しているプレーヤー１０が非正規再生状態にあるかどうかが判定される（ステップＳ２２０）。プレーヤー１０が通常再生状態にあれば、光ディスクの通常の再生を続ける（ステップＳ２００）。プレーヤーが非正規再生状態にあれば、前記光ディスク中のＵＲＬリストにおいて、ダウンロードされていない情報に対応するＵＲＬが検索される（ステップＳ２３０）。
【００２４】
次に、前述の検索結果に従って、ダウンロードされていない情報に対応するＵＲＬがあるかどうかが判定される（ステップＳ２４０）。ダウンロードされていない情報に対応するＵＲＬが一つも検索されなければ、プレーヤーはそのまま光ディスクの通常再生を再開するために待機する（ステップＳ２６０）。通常再生再開のための待機の間に、光ディスクの通常再生を再開するかどうかがユーザーによって決定される（ステップＳ２８０）。通常再生を再開する必要があれば、プレーヤーは光ディスクの通常再生に進む。通常再生が再開されていなければ、プレーヤーは戻って通常再生を再開するための待機を続ける（ステップＳ２６０）。
【００２５】
判断を通じて、ダウンロードされていない情報に対応するＵＲＬが光ディスク中にみつかっていれば、そのＵＲＬに対応する情報が前もってダウンロードされ（ステップＳ２５０）、該前もってダウンロードされた情報がプレーヤー１０に保存され、通常再生が再開されたときに光ディスクプレーヤー１０の記憶内のダウンロードされた情報がそのまま使用できるようになる（ステップＳ２７０）。これによりダウンロードしながら再生するプロセスの間の中断またはしゃっくりの生起が軽減される。
【００２６】
ダウンロードされた情報が一時的に保存されたのち、通常再生が再開される必要があるかどうかがユーザーによって判定される（ステップＳ２９０）。通常再生を再開する必要があれば、プレーヤーは光ディスクの通常の再生に進む。通常再生を再開する必要がなければ、プレーヤーは戻って、ダウンロードされていない情報に対応するＵＲＬがあるかどうかを確証するための検索を続け（ステップＳ２３０）、上記の諸ステップを繰り返す。
【００２７】
通常再生状態において必要とされる情報がプレーヤーが一時停止状態、著作権情報状態または監督注釈状態といった非正規再生状態にある間に前もってダウンロードできるため、再生がなめらかでない、さらには再生が中断されるなどといった事例は、ダウンロードしながら再生するプロセスの間回避される。
【００２８】
以上の記述では本発明についてある特定の実施形態との組み合わせにおいて記載してきたが、当業者にはさまざまな代替、修正および変更が明らかとなるであろう。したがって、本発明は、付属の請求項の精神および範囲にはいるあらゆる代替、修正および変更を包含するものである。
【図面の簡単な説明】
【００２９】
【図１】本発明のある実施形態に基づく光ディスクプレーヤーの構造的な概略図である。
【図２】図１に示された光ディスクプレーヤーの再生のフローチャートである。
【符号の説明】
【００３０】
１１  ネットワーク管理装置
１２  検索モジュール
１３  検出モジュール
１４  記憶
１５  読み出し装置
１６  プロセッサ
Ｓ２００  コンパクトディスクを通常再生
Ｓ２１０  再生状態を検出
Ｓ２２０  非正規状態？
Ｓ２３０  コンパクトディスク中でまだダウンロードされていない情報に対応するＵＲＬを検索
Ｓ２４０  まだダウンロードされていないＵＲＬがみつかったか？
Ｓ２５０  まだダウンロードされていない情報をダウンロード
Ｓ２６０  通常再生を再開するために待機
Ｓ２７０  ダウンロードされた情報を保存
Ｓ２８０  通常再生を再開？
Ｓ２９０  通常再生を再開？
Ｓ３００  コンパクトディスクの通常再生に進む
【図１】
2007511029.tif 000003
【図２】
2007511029.tif 000004
【国際調査報告】
2007511029.tif 000005
2007511029.tif 000006
2007511029.tif 000007